(57)【要約】【課題】  スマート歯ブラシを用いた口腔情報管理システムを提供する。【解決手段】  カメラ及び一つ以上のセンサーを含むスマート歯ブラシ、及び前記スマート歯ブラシから収集された情報を獲得するユーザー端末を含み、前記ユーザー端末は、前記スマート歯ブラシから収集された情報に基づいてユーザーの口腔健康状態を判断する。【選択図】  図１
2020075113.tif 000002
【特許請求の範囲】
【請求項１】
カメラ及び一つ以上のセンサーを含むスマート歯ブラシと、
前記スマート歯ブラシから収集された情報を獲得するユーザー端末と、を含み、
前記ユーザー端末は、
前記スマート歯ブラシから収集された情報に基づいてユーザーの口腔健康状態を判断する、
スマート歯ブラシを用いた口腔情報管理システム。
【請求項２】
前記スマート歯ブラシは、
前記カメラ及び前記一つ以上のセンサーを備える本体と、
前記本体に着脱可能に結合される歯ブラシ毛と、を含む、
請求項１に記載のスマート歯ブラシを用いた口腔情報管理システム。
【請求項３】
前記スマート歯ブラシは、
前記カメラを用いて前記ユーザーの口腔内イメージを撮影し、前記一つ以上のセンサーを用いて前記ユーザーの口腔内に存在する化学物質を検出し、
前記ユーザー端末は、
前記撮影されたイメージ及び前記検出された化学物質についての情報に基づいて前記ユーザーの口腔健康状態を判断する、
請求項１に記載のスマート歯ブラシを用いた口腔情報管理システム。
【請求項４】
前記ユーザー端末は、
前記ユーザーの歯牙を撮影したイメージに基づいて前記ユーザーの歯牙健康状態を判断し、前記ユーザーの歯牙の中で管理又は治療が必要な歯牙についての情報を獲得し、
前記検出された化学物質についての情報に基づいて前記ユーザーの口臭を評価し、前記ユーザーの口臭が既定の基準値を超える場合、前記口臭の発生原因を判断する、
請求項３に記載のスマート歯ブラシを用いた口腔情報管理システム。
【請求項５】
前記ユーザー端末は、
前記ユーザーの歯牙健康状態についての情報をサーバーに伝送し、
前記口腔情報管理システムは、
前記ユーザー端末から受信される前記ユーザーの歯牙健康状態についての情報に基づき、前記ユーザーに対して少なくとも一つの歯科をマッチングし、前記マッチングされた歯科に前記ユーザーについての情報を提供し、前記ユーザー端末に前記歯科についての情報を提供する、前記サーバーをさらに含む、
請求項４に記載のスマート歯ブラシを用いた口腔情報管理システム。
【請求項６】
前記ユーザー端末は、
前記ユーザーの個人情報を前記サーバーに伝送し、
前記サーバーは、
前記ユーザーの歯牙健康状態に基づいて前記ユーザーに必要な医療サービスを判断し、前記ユーザーの現在位置情報及び前記ユーザーの動線情報の少なくとも一つに基づいて前記医療サービスを提供する一つ以上の歯科を選択する、
請求項５に記載のスマート歯ブラシを用いた口腔情報管理システム。
【請求項７】
前記サーバーは、
前記ユーザーの動線に基づき、前記ユーザーが歯科に訪問することができる時間帯を選択し、前記選択された時間帯に前記ユーザーの位置を予測し、前記予測された位置から所定の距離内に位置する歯科を選択し、前記選択された時間帯及び前記選択された歯科についての情報を前記ユーザー端末に提供する、
請求項６に記載のスマート歯ブラシを用いた口腔情報管理システム。
【請求項８】
前記サーバーは、
前記予測された位置から所定の距離内に位置する複数の歯科を選択し、前記複数の歯科に前記ユーザーについての情報を提供し、
前記複数の歯科に対し、前記ユーザーに提供される情報の種類によって区別的に設定される費用を案内し、前記提供される情報の種類に対する選択を要請し、
前記複数の歯科に対し、前記ユーザーに情報を提供するための追加費用の入力を要請し、
前記複数の歯科の中で前記提供される情報の種類による費用と前記追加費用の和である最終費用が最大である第１歯科を選択し、
前記第１歯科についての情報を前記ユーザー端末に提供する、
請求項７に記載のスマート歯ブラシを用いた口腔情報管理システム。
【請求項９】
前記ユーザー端末は、
前記ユーザーが歯磨きする前、前記ユーザーが歯磨きするうち及び前記ユーザーが歯磨きした後にそれぞれ撮影される一つ以上のイメージを獲得し、前記一つ以上のイメージに基づいて前記ユーザーの歯磨き方法を評価し、前記ユーザーの歯磨き方法の改善方案についての情報を提供する、
請求項３に記載のスマート歯ブラシを用いた口腔情報管理システム。
【発明の詳細な説明】
【技術分野】
【０００１】
本発明の技術的思想はスマート歯ブラシを用いた口腔情報管理システムに関するものである。
【背景技術】
【０００２】
２０１７年健保による外来診療患者数及び健保療養給与費用（外来）を基準に調べたとき、韓国人の疾病の中で外来患者数が最も多く、その中で社会的費用支出が最も多い疾病は歯牙関連疾病である。このように多数の国民が口腔疾患を抱えているが、口腔健康増進のための予防及び管理が乏しい実情である。
【０００３】
よって、ひとりひとりが家庭で直接口腔状態を確認し、これに基づいて医療サービスを受けることができるようにする技術の開発が要求される。
【先行技術文献】
【特許文献】
【０００４】
【特許文献１】韓国登録特許第１０−１９１１８３４号公報
【発明の概要】
【発明が解決しようとする課題】
【０００５】
本発明の技術的思想が解決しようとする課題は、スマート歯ブラシを用いた口腔情報管理システムを提供することにある。
【課題を解決するための手段】
【０００６】
上述した課題を解決するために、本発明の技術的思想の一実施例によるスマート歯ブラシを用いた口腔情報管理システムは、カメラ及び一つ以上のセンサーを含むスマート歯ブラシと、前記スマート歯ブラシから収集された情報を獲得するユーザー端末と、を含み、前記ユーザー端末は、前記スマート歯ブラシから収集された情報に基づいてユーザーの口腔健康状態を判断する。
【０００７】
また、前記スマート歯ブラシは、前記カメラ及び前記一つ以上のセンサーを備える本体と、前記本体に着脱可能に結合される歯ブラシ毛と、を含むことができる。
【０００８】
また、前記スマート歯ブラシは、前記カメラを用いて前記ユーザーの口腔内イメージを撮影し、前記一つ以上のセンサーを用いて前記ユーザーの口腔内に存在する化学物質を検出し、前記ユーザー端末は、前記撮影されたイメージ及び前記検出された化学物質についての情報に基づいて前記ユーザーの口腔健康状態を判断することができる。
【０００９】
また、前記ユーザー端末は、前記ユーザーの歯牙を撮影したイメージに基づいて前記ユーザーの歯牙健康状態を判断し、前記ユーザーの歯牙の中で管理又は治療が必要な歯牙についての情報を獲得し、前記検出された化学物質についての情報に基づいて前記ユーザーの口臭を評価し、前記ユーザーの口臭が既定の基準値を超える場合、前記口臭の発生原因を判断することができる。
【００１０】
また、前記ユーザー端末は、前記ユーザーの歯牙健康状態についての情報をサーバーに伝送し、前記口腔情報管理システムは、前記ユーザー端末から受信される前記ユーザーの歯牙健康状態についての情報に基づき、前記ユーザーに対して少なくとも一つの歯科をマッチングし、前記マッチングされた歯科に前記ユーザーについての情報を提供し、前記ユーザー端末に前記歯科についての情報を提供する、前記サーバーをさらに含むことができる。
【００１１】
また、前記ユーザー端末は、前記ユーザーの個人情報を前記サーバーに伝送し、前記サーバーは、前記ユーザーの歯牙健康状態に基づいて前記ユーザーに必要な医療サービスを判断し、前記ユーザーの現在位置情報及び前記ユーザーの動線情報の少なくとも一つに基づいて前記医療サービスを提供する一つ以上の歯科を選択することができる。
【００１２】
また、前記サーバーは、前記ユーザーの動線に基づき、前記ユーザーが歯科に訪問することができる時間帯を選択し、前記選択された時間帯に前記ユーザーの位置を予測し、前記予測された位置から所定の距離内に位置する歯科を選択し、前記選択された時間帯及び前記選択された歯科についての情報を前記ユーザー端末に提供することができる。
【００１３】
また、前記サーバーは、前記予測された位置から所定の距離内に位置する複数の歯科を選択し、前記複数の歯科に前記ユーザーについての情報を提供し、前記複数の歯科に対し、前記ユーザーに提供される情報の種類によって区別的に設定される費用を案内し、前記提供される情報の種類に対する選択を要請し、前記複数の歯科に対し、前記ユーザーに情報を提供するための追加費用の入力を要請し、前記複数の歯科の中で前記提供される情報の種類による費用と前記追加費用の和である最終費用が最大である第１歯科を選択し、前記第１歯科についての情報を前記ユーザー端末に提供することができる。
【００１４】
また、前記ユーザー端末は、前記ユーザーが歯磨きする前、前記ユーザーが歯磨きするうち及び前記ユーザーが歯磨きした後にそれぞれ撮影される一つ以上のイメージを獲得し、前記一つ以上のイメージに基づいて前記ユーザーの歯磨き方法を評価し、前記ユーザーの歯磨き方法の改善方案についての情報を提供することができる。
【発明の効果】
【００１５】
本発明の技術的思想によるスマート歯ブラシ及びこれを含む口腔情報管理システムは、ユーザーが容易に歯牙の状態を確認し、これを改善することができる情報の提供を受け、適切な医療サービスを受けることができるように補助することができる効果がある。
【図面の簡単な説明】
【００１６】
【図１】一実施例によるスマート歯ブラシを用いた口腔情報管理システムを示す図である。
【図２】ユーザー端末がスマート歯ブラシと通信して相互作用する一例を示すフローチャートである。
【図３】ユーザー端末がスマート歯ブラシと通信して相互作用する一例を示すフローチャートである。
【図４】一実施例によるシステムの動作を示すフローチャートである。
【図５】一実施例による歯科情報マッチング方法を示すフローチャートである。
【図６】一実施例による歯科選択及び情報提供方法を示すフローチャートである。
【発明を実施するための形態】
【００１７】
以下、添付図面に基づいて本発明の具体的な実施例を詳細に説明する。本発明の実施例は当該技術分野で通常の知識を有する者に、本発明をより完全に説明するために提供するものであり、下記の実施例は様々な他の形態に変形されることができ、本発明の範囲が下記実施例に限定されるものではない。むしろ、これらの実施例は本開示をより充実させ完全なものにし、当業者に本発明の思想を完全に伝達するために提供するものである。また、図面において各層の厚さ又は大きさは説明の便宜及び明確性のために誇張していることもある。
【００１８】
本明細書全般にわたり、一構成要素が他の構成要素“上に”、“連結されて”、又は“カップリングされて”位置すると言及するときは、上述した一構成要素が直接的に他の構成要素“上に”、“連結されて”、又は“カップリングされて”接触するか、その間に介在されるさらに他の構成要素が存在することができると解釈可能である。一方、一構成要素が他の構成要素に“直接的に上に”、“直接連結されて”、又は“直接カップリングされて”位置すると言及するときは、その間に介在される他の構成要素が存在しないと解釈される。同じ符号は同じ要素を示す。本明細書で使用するように、“及び／又は”という用語は列挙された該当項目のいずれか一つ及び一つ以上の全ての組合せを含む。
【００１９】
本明細書で、第１、第２などの用語が多様な部材、部品、領域、層及び／又は部分を説明するために使われるが、これらの部材、部品、領域、層及び／又は部分はこれらの用語によって限定されないことは明らかである。これらの用語は一つの部材、部品、領域、層又は部分を他の領域、層又は部分と区別するためにのみ使われる。よって、以下で詳述する第１部材、部品、領域、層又は部分は本発明の教示から逸脱しない範囲内で第２部材、部品、領域、層又は部分を示すことができる。
【００２０】
また、“上の”又は“上側の”及び“下の”又は“下側の”のような相対的な用語は図面に示すように他の要素に対するある要素の関係を記述するために使われることができる。相対的用語は図面で描写される方向に加えて素子の他の方向を含むことを意図すると理解できる。例えば、図面で特定の構成要素が覆されれば、他の要素の上部の面上に存在するものとして描写される要素は上述した他の要素の下部の面上に存在することになる。したがって、例として挙げた“上の”という用語は、図面の特定方向に対して“下の”及び“上の”方向の全てを含むことができる。構成要素が他の方向に向かうならば（９０度回転）、本明細書に使われる相対的な説明はこれに基づいて解釈されることができる。
【００２１】
本明細書で使用する用語は特定の実施例を説明するために使い、本発明を制限するものではない。本明細書で使用するように、単数の形態は、文脈上他の場合を確かに指摘するものではなければ、複数の形態を含むことができる。また、本明細書で使う“含む（ｃｏｍｐｒｉｓｅ）”は言及した形状、数字、段階、動作、部材、要素及び／又はこれらのグループの存在を特定するものであり、一つ以上の他の形状、数字、動作、部材、要素及び／又はグループの存在又は付加を排除するものではない。
【００２２】
以下、本発明の実施例は本発明の理想的な実施例を概略的に示す図面を参照して説明する。図面において、例えば、製造技術及び／又は公差（ｔｏｌｅｒａｎｃｅ）によって図示の形状の変形が予想可能である。よって、本発明の思想の実施例は本明細書に示した領域の特定の形状に制限されるものに解釈されてはならず、例えば製造上あり得る形状の変化を含まなければならない。以下の実施例は一つ又は複数を組み合わせて構成することもできる。
【００２３】
以下で説明するスマート歯ブラシを用いた口腔情報管理システムは多様な構成を有することができ、ここでは必要な構成のみ例示的に提示し、本発明の内容がこれに限定されるものではないことを明らかにしておく。
【００２４】
本明細書で、コンピュータ装置は少なくとも一つのプロセッサを含む全ての種類のハードウェア装置を意味するものであり、実施例によって該当ハードウェア装置で動作するソフトウェア的構成も包括する意味に理解されることができる。例えば、コンピューティング装置は、スマートフォン、タブレットＰＣ、コンピュータ及びそれぞれの装置で駆動されるユーザークライアント及びアプリケーションの全てを含む意味に理解されることができ、やはりこれに制限されるものではない。
【００２５】
以下、添付図面に基づいて本発明の実施例を詳細に説明する。
【００２６】
図１は一実施例によるスマート歯ブラシを用いた口腔情報管理システムを示す図である。
【００２７】
図１を参照すると、スマート歯ブラシ１００及びユーザー端末２００を含むシステムが示されている。
【００２８】
一実施例で、システムはサーバー１０及び歯科端末３００をさらに含むことができるが、これに制限されるものではなく、図１に示した構成要素の少なくとも一部が省略されることができ、また図１に示されていない構成要素が図１に示したシステムに付け加えられることもできる。
【００２９】
図１を参照すると、スマート歯ブラシ１００は、カメラ及び一つ以上のセンサーを含むことができる。図１を参照すると、スマート歯ブラシ１００は本体１１０及び歯ブラシ毛１２０を含み、スマート歯ブラシ１００の本体１１０に備えられるセンサー部１３０をさらに含むことができる。
【００３０】
一実施例で、センサー部１３０はカメラ及び一つ以上のセンサーを含むことができるが、これに制限されるものではなく、センサー部１３０の位置も制限されない。
【００３１】
一実施例で、歯ブラシ毛１２０は本体１１０に着脱可能に構成され、歯ブラシ毛１２０が摩耗すれば、新しいものに入れ替えることができるように構成できる。入れ替え可能な歯ブラシ毛１２０の形態は制限されず、図１に示したように本体１１０と結合される棒を含む形態に構成されることもできるが、本体１１０が棒部を含み、棒部に着脱可能に歯ブラシ毛及び歯ブラシ毛を固定する固定部のみ含む形態に構成されることもできる。この場合、センサー部１３０は本体１１０に備えられた棒部の少なくとも一地点（例えば、歯ブラシ毛の付近）に備えられることも可能である。
【００３２】
一実施例で、ユーザー端末２００は上述したコンピューティング装置の一種であってもよく、例えばユーザーのスマートフォンであってもよいが、これに制限されるものではない。
【００３３】
一実施例で、ユーザー端末２００はスマート歯ブラシ１００から収集された情報を獲得することができる。例えば、スマート歯ブラシ１００とユーザー端末２００は有線又は無線で情報を送受信することができる。一例として、スマート歯ブラシ１００とユーザー端末２００はブルートゥース（登録商標）を介して通信することができるが、これに制限されるものではない。
【００３４】
図２及び図３を参照すると、ユーザー端末２００がスマート歯ブラシ１００と通信して相互作用する一例を示すフローチャートがそれぞれ示されている。
【００３５】
一実施例で、スマート歯ブラシ１００はセンサー部１３０によって収集されたデータをユーザー端末２００に提供し、ユーザー端末２００はスマート歯ブラシから収集された情報に基づいてユーザーの口腔健康状態を分析及び判断することができる。
【００３６】
一実施例で、ユーザー端末２００はスマート歯ブラシ１００にフィードバックを提供することができる。フィードバックの種類は制限されず、例えばフィードバックはユーザーの口腔健康状態についての情報及びこれに基づいてユーザーの口腔健康状態を改善することができる情報を含むことができる。
【００３７】
例えば、スマート歯ブラシ１００は電動歯ブラシであってもよい。この場合、ユーザー端末２００はユーザーの口腔状態によってユーザーの口腔状態を改善させることができる方式でスマート歯ブラシ１００を制御することができるようにする情報をスマート歯ブラシ１００に提供することができる。
【００３８】
この場合、スマート歯ブラシ１００はユーザー端末２００から受信されたフィードバックに基づいて歯ブラシ毛の制御を遂行することができる。
【００３９】
例えば、ユーザーの歯石が多いと判断される場合、ユーザー端末２００は、スマート歯ブラシ１００が歯ブラシ毛をもっと強く回転させるように制御する情報を提供することができる。
【００４０】
また、ユーザーの歯茎が弱いと判断される場合、ユーザー端末２００は、スマート歯ブラシ１００が歯ブラシ毛をもっと弱く回転させるように制御する情報を提供することができる。
【００４１】
また、ユーザーの歯間に残余飲食物がよく挟まれると判断される場合、該当部分を強く刺激するように歯ブラシ毛を振動させるか上下に動かすなどの多様な制御情報を含むフィードバックをスマート歯ブラシ１００に提供することができる。
【００４２】
一実施例で、スマート歯ブラシ１００はカメラを用いてユーザーの口腔内イメージを撮影し、一つ以上のセンサーを用いてユーザーの口腔内に存在する化学物質を検出することができる。
【００４３】
例えば、スマート歯ブラシ１００は、カメラを用いてユーザーの歯牙及び歯茎を含むイメージを撮影することができる。また、スマート歯ブラシ１００は、一つ以上のセンサーを用いてユーザーの口腔内に存在する化学物質を検出することにより、ユーザーの口臭を測定し、その原因を判断することができる。
【００４４】
一実施例で、ユーザー端末２００は、前記ユーザーの歯牙を撮影したイメージに基づいて前記ユーザーの歯牙健康状態を判断し、前記ユーザーの歯牙の中で管理又は治療が必要な歯牙についての情報を獲得することができる。
【００４５】
また、ユーザー端末２００は、前記検出された化学物質についての情報に基づいて前記ユーザーの口臭を評価し、前記ユーザーの口臭が既定の基準値を超える場合、前記口臭の発生原因を判断することができる。
【００４６】
一実施例で、ユーザー端末２００は、学習されたモデルを活用して、撮影されたイメージからユーザーの口腔状態を判断することができる。
【００４７】
例えば、カメラで撮影された歯牙イメージと該当イメージにおいて異常がある部分についての情報を表示したラベリング情報が含まれた学習データを用いて、人工知能モデルに学習させることができ、このように学習された人工知能モデルを用いて、撮影されたイメージからユーザーの歯牙健康状態を推定することができる。
【００４８】
本明細書で、人工知能技術は、機械学習（Ｍａｃｈｉｎｅ  Ｌｅａｒｎｉｎｇ）技術を含み、機械学習技術の中でも特に映像を分析するのに広く用いられるディープラーニング（Ｄｅｅｐ  Ｌｅａｒｎｉｎｇ）技術を含み、特定の種類の技術に制限されない。
【００４９】
ディープラーニングは様々な非線形変換技法の組合せによって高水準の抽象画（ａｂｓｔｒａｃｔｉｏｎｓ、多量のデータ又は複雑な資料の中で核心的な内容又は機能を要約する作業）を試みる機械学習（ｍａｃｈｉｎｅ  ｌｅａｒｎｉｎｇ）アルゴリズムの集合に定義される。ディープラーニングは、広く見て、人の考え方をコンピュータに教える機械学習の一分野であると思われる。
【００５０】
あるデータがある場合、これをコンピュータが認識することができる形態（例えば、映像の場合は、ピクセル情報を列ベクターで表現するなど）に表現（ｒｅｐｒｅｓｅｎｔａｔｉｏｎ）し、これを学習に適用するために多くの研究（どのようにすればもっと良い表現技法を作ることができるか、かつどのようにこれらを学習するモデルを作るかに対する研究）が進行している。このような努力の結果として多様なディープラーニング技法が開発された。ディープラーニング技法としては、ディープニューラルネットワーク（Ｄｅｅｐ  Ｎｅｕｒａｌ  Ｎｅｔｗｏｒｋｓ、ＤＮＮ）、コンボリューショナルディープニューラルネットワーク（Ｃｏｎｖｏｌｕｔｉｏｎａｌ  ｄｅｅｐ  Ｎｅｕｒａｌ  Ｎｅｔｗｏｒｋｓ、ＣＮＮ）、リカレントニューラルネットワーク（Ｒｅｃｃｕｒｅｎｔ  Ｎｅｕｒａｌ  Ｎｅｔｗｏｒｋ、ＲＮＮ）及びディープビリーフネットワーク（Ｄｅｅｐ  Ｂｅｌｉｅｆ  Ｎｅｔｗｏｒｋｓ、ＤＢＮ）を例として挙げることができる。
【００５１】
上述したディープラーニング技術についての内容は、本明細書で説明する人工知能技術に対する理解を助けるための例示として記述したものであり、開示の実施例によってユーザーの歯牙状態を判断するのに用いられる人工知能技術の種類はこれに制限されない。
【００５２】
例えば、当該分野の通常の知識を持つ技術者が、同じ課題解決のために適用することができる全ての種類の人工知能技術及びその学習方法を開示の実施例にしたがってユーザーの歯牙状態を判断するのに活用することができる。
【００５３】
一実施例で、ユーザー端末２００は、ユーザーの歯牙の中で、歯石がある歯牙及び該当歯牙における歯石の位置及び歯石の量を判断し、該当情報を提供することができる。また、ユーザー端末２００は、ユーザーの歯牙の中で、虫歯がある歯牙及び該当歯牙における虫歯部分の位置及びその大きさを評価し、該当情報を提供することができる。
【００５４】
また、ユーザー端末２００はユーザーの口臭を判断し、前記ユーザーの口臭が既定の基準値を超える場合、その原因を判断することができる。例えば、ユーザー端末２００は検出された化学物質の種類に基づき、該当口臭が口内の虫歯や炎症などによるものであるか、あるいは胃腸から上って来る物質によるものであるかを判断することができる。
【００５５】
同様に、ユーザー端末２００はユーザーの歯磨き前後の口臭を判断し、歯磨き後にも口臭がある場合、該当口臭は口内ではない内臓器官の問題であると判断することもできる。
【００５６】
また、ユーザー端末２００は、撮影されたイメージを人工知能モデルを活用して分析することにより、炎症又は傷がある位置及び大きさ、歯茎の健康状態及び損傷程度などを評価し、評価結果を提供することができる。
【００５７】
一実施例で、ユーザー端末２００は、ユーザーが歯磨きする前、前記ユーザーが歯磨きするうち及び前記ユーザーが歯磨きした後にそれぞれ撮影される一つ以上のイメージを獲得し、前記一つ以上のイメージに基づいて前記ユーザーの歯磨き方法を評価し、前記ユーザーの歯磨き方法の改善方案についての情報を提供することができる。
【００５８】
例えば、ユーザー端末２００は、ユーザーが歯磨きするうちに所定の間隔で撮影されたイメージ又は動画を獲得し、ユーザーの歯牙の位置に対する歯ブラシ毛の動きを認識することにより、ユーザーの歯磨き方法を認識及び評価することができ、また歯磨き過程で所定の間隔で撮影された歯牙イメージに基づいて歯磨きによる歯牙健康状態の変化を判断し、歯磨きの前後に歯牙の健康状態が大きく好転しない場合、歯磨き方法が誤っていると判断し、歯磨き方法を改善することができる情報を提供することができる。
【００５９】
上述したユーザー端末２００の動作はユーザー端末２００に組み込まれたアプリケーション又はウェブ、ＳａａＳなどによって遂行されることができるが、これに制限されるものではない。ユーザー端末２００は、評価された情報をディスプレイを介して表示することもでき、外部端末に提供することもできる。
【００６０】
例えば、ユーザー端末２００は、収集された情報及びこれに基づいて評価された情報を外部サーバー及びスマート歯ブラシ１００に提供することができる。
【００６１】
図４は一実施例によるシステムの動作を示すフローチャートである。
【００６２】
図４を参照すると、ユーザー端末２００は、サーバー１０にユーザーについての情報を提供し、ユーザーについての情報は、ユーザーの個人情報、及びユーザーの歯牙健康状態についての情報を含むことができる。
【００６３】
また、サーバー１０は、ユーザー端末２００から受信される前記ユーザーの歯牙健康状態についての情報に基づき、前記ユーザーに対して少なくとも一つの歯科をマッチングし、前記マッチングされた歯科に前記ユーザーについての情報を提供し、前記ユーザー端末に前記歯科についての情報を提供することができる。
【００６４】
各歯科には歯科端末３００が備えられることができ、歯科端末３００は歯科に備えられた管理用端末を意味することがあるが、これに制限されるものではない。
【００６５】
図５は一実施例による歯科情報マッチング方法を示すフローチャートである。
【００６６】
段階Ｓ１１０で、サーバー１０は患者の背景情報及び状態情報を含む患者（ユーザー）情報を収集する段階を遂行する。
【００６７】
段階Ｓ１２０で、サーバー１０は歯科の背景情報及び状態情報を含む歯科情報を収集する段階を遂行する。
【００６８】
段階Ｓ１３０で、サーバー１０は、前記収集された患者情報及び歯科情報に基づき、少なくとも一つの患者と少なくとも一つの歯科をマッチングする段階を遂行する。
【００６９】
患者と歯科をマッチングする方法は制限されず、上述した方法の少なくとも一つが用いられることができ、以下ではその一部の実施例による具体的な方法を説明する。
【００７０】
段階Ｓ１４０で、サーバー１０は前記マッチングされた患者に前記マッチングされた歯科についての情報を提供する段階を遂行する。
【００７１】
提供される情報の種類は制限されず、例えば、歯科の位置、患者数、待機時間、医療陣、診療情報などを含むことができ、実施例によって歯科から提供する広告情報が含まれることができる。
【００７２】
段階Ｓ１５０で、サーバー１０は前記マッチングされた歯科に前記マッチングされた患者についての情報を提供する段階を遂行する。
【００７３】
提供される情報の種類は制限されず、例えば患者の個人情報及び診療情報、患者が必要とする医療サービスの種類についての情報が提供されることができる。また、歯科に対しては複数の患者情報がまとめて提供されることができる。例えば、該当歯科から提供することができる医療サービスを必要とする患者のリストがまとめて提供されることができ、その中でも所定のフィルターによってまとめられた患者のリストが提供されることができる。例えば、サーバー１０は歯科から所定の距離内に位置する患者についての情報を提供することができる。患者の位置は患者の現在位置を基準に決定されることもでき、患者の普段の動線の少なくとも一部が歯科から所定の距離内に位置するか、患者がよく訪問する所の少なくとも一つが歯科から所定の距離内に位置する場合などにも該当患者についての情報を歯科に提供することができる。
【００７４】
また、サーバー１０は該当医療サービスのために他の歯科に訪問したことがある患者又は歯科に訪問したことがない患者についての情報を歯科に提供することができる。
【００７５】
歯科に訪問したことがある患者の場合、サーバー１０は医療サービスの種類によって歯科に再訪問しなければならない時点を判断し、該当時点が経過した患者についての情報を歯科に提供することができ、同様に該当患者に歯科に再訪問しなければならない時点になったという情報を提供するとともに、これに対応する歯科についての情報を提供することができる。
【００７６】
一実施例で、前記患者の状態情報は前記患者の現在歯牙状態についての情報及び前記患者の現在位置情報を含む。また、前記患者の背景情報は前記患者の歯牙状態についての情報及び前記患者の動線についての情報を含む。
【００７７】
一実施例で、患者の動線についての情報は患者が周期的に移動する動線についての情報を含むことができる。例えば、動線は患者の通勤路、登下校路などについての情報を含むことができる。
【００７８】
また、患者の動線についての情報は患者がよく訪問する位置についての情報を含むことができ、該当位置についての情報に加重値が付与されることができる。例えば、動線上でも地下鉄、バス、又は自動車に乗って通る位置よりは、家、学校、又は職場のように患者が訪問して留まる所にもっと高い加重値が付与されることができる。
【００７９】
よって、動線に基づいて歯科を推薦するか歯科に患者情報を提供するとき、患者が単純に移動して通る位置には低い加重値を付与し、患者が実際に訪問する位置にもっと高い加重値を付与し、さらに患者が長く留まる所であるほど高い加重値を付与することができ、このような加重値は患者と歯科をマッチングするときに考慮されることができる。例えば、高い加重値を有する位置から所定の範囲内に位置する歯科についての情報が高い優先順位で患者に提供されることができ、同様に歯科にも該当患者についての情報が高い優先順位で提供されることができる。
【００８０】
一実施例で、サーバー１０は前記患者の現在歯牙状態に基づいて前記患者に必要な医療サービスを判断する段階を遂行することができる。例えば、サーバー１０はスマート歯ブラシ１００から収集された情報及びユーザー端末２００によって分析された情報に基づいて患者に必要な医療サービスを判断することができ、該当情報は患者が直接的に入力して検索を遂行することもできる。
【００８１】
一実施例で、サーバー１０は前記患者の現在位置情報に基づいて前記医療サービスを提供する一つ以上の歯科を選択する段階を遂行することができる。
【００８２】
例えば、サーバー１０は患者の周辺に位置する一つ以上の歯科についての情報を提供することができる。
【００８３】
一実施例で、サーバー１０は各歯科の中でレビューや評価が良い歯科を優先的に推薦することもでき、診療待機時間が短い歯科を優先的に推薦することができる。サーバー１０は患者の選択によって該当歯科を予約することもできる。
【００８４】
また、サーバー１０は各歯科の広告情報又はイベント情報などを患者に一緒に提供することもできる。
【００８５】
他の一実施例で、サーバー１０は前記患者の歯牙状態に基づいて前記患者に必要な医療サービスを判断する段階を遂行することができる。例えば、サーバー１０は患者の既存の健康情報に基づいて患者が必要とする医療サービスを予測及び判断し、該当医療サービスについての情報を患者に提供することができる。
【００８６】
他の一実施例で、サーバー１０は前記患者の動線に基づいて前記医療サービスを提供する一つ以上の歯科を選択する段階を遂行することができる。
【００８７】
例えば、サーバー１０は上述したように患者の動線に基づいて歯科を推薦し、情報を提供することができる。
【００８８】
図６は一実施例による歯科選択及び情報提供方法を示すフローチャートである。
【００８９】
段階Ｓ２１０で、サーバー１０は前記患者の動線に基づいて前記患者が歯科に訪問することができる時間帯を選択する段階を遂行することができる。
【００９０】
例えば、サーバー１０は患者の普段の動線及び位置情報に基づき、患者が歯科に訪問することができる時間帯を選択することができる。例えば、患者が出勤する前の時間、出勤後の時間、昼食時間、退勤後の時間、休み時間などを選択することができる。
【００９１】
段階Ｓ２２０で、サーバー１０は前記選択された時間帯の前記患者の位置を予測する段階を遂行することができる。
【００９２】
例えば、サーバー１０は出勤時間前の患者の家付近、出勤後の業務時間前の患者の会社付近、昼食時間の患者の会社付近、退勤後の会社付近又は家付近などの位置を予測することができる。
【００９３】
段階Ｓ２３０で、サーバー１０は前記予測された位置から所定の距離内に位置する歯科を選択する段階を遂行することができる。
【００９４】
段階Ｓ２４０で、サーバー１０は前記選択された時間帯及び前記選択された歯科についての情報を前記患者に提供する段階を遂行することができる。
【００９５】
一実施例で、サーバー１０は、前記選択された時間の長さ、及び該当時間帯の各歯科の平均待機時間についての情報に基づき、患者が実際に該当時間以内に歯科診療を受けることができる歯科についての情報を選別して患者に提供することができる。また、サーバー１０は、各歯科の予約可否を確認して、予約の際に実際の診療時間との差についての情報を獲得し、該当情報に基づいて予約時に患者が前記選択された時間内に診療を受けることができるかを確認した後、該当歯科を選択して患者に情報を提供することができ、該当歯科に対する予約可否を患者に問い合わせた後、患者の選択によって該当歯科を予約することができる。
【００９６】
一実施例で、サーバー１０は前記選択された歯科に前記患者についての情報を提供する段階を遂行することができる。
【００９７】
一実施例で、サーバー１０は前記選択された歯科に前記患者についての情報提供可否及び提供すべき情報の種類を問い合わせる段階を遂行することができる。
【００９８】
例えば、サーバー１０は該当患者に歯科情報及び広告情報を提供するかを問い合わせることができ、実施例によって情報提供による費用を請求することができる。
【００９９】
一実施例で、サーバー１０は前記選択された歯科から前記問い合わせに対する応答を受信する段階を遂行することができる。
【０１００】
一実施例で、サーバー１０は前記応答に基づいて前記患者に前記選択された歯科についての情報を提供する段階を遂行することができる。
【０１０１】
例えば、サーバー１０は、歯科から費用が決済される場合、患者に歯科情報を提供することができる。
【０１０２】
一実施例で、サーバー１０は前記予測された位置から所定の距離内に位置する複数の歯科を選択する段階を遂行することができる。
【０１０３】
一実施例で、サーバー１０は前記複数の歯科のそれぞれに前記患者についての情報を提供する段階を遂行することができる。
【０１０４】
一実施例で、サーバー１０は、前記複数の歯科のそれぞれに対し、前記患者に提供される情報の種類によって区別的に設定される費用を案内し、前記提供される情報の種類に対する選択を要請する段階を遂行することができる。
【０１０５】
例えば、患者に提供される情報は歯科についての基本情報のみ含むこともできるが、歯科から提供するイベントについての情報、歯科が提供する追加情報、歯科の広告情報などをさらに含むことができる。サーバー１０は追加情報の量によって費用を区別的に設定することができる。
【０１０６】
一実施例で、サーバー１０は前記複数の歯科のそれぞれに対し、前記患者に情報を提供するための追加費用の入力を要請する段階を遂行することができる。
【０１０７】
例えば、サーバー１０は、追加情報の提供のための費用の他に、患者に費用を請求するために支払うことができる追加費用についての情報を要請することができる。サーバー１０はもっと多い追加費用を支払おうとする歯科の情報を患者に提供することができ、これは競売又はブラインド競売方式で進行されることもできる。
【０１０８】
競売は各患者別に進行することもでき、特定の患者群に対して進行することもできる。例えば、患者群は、特定の位置、所望の医療サービス、年齢層、性別、動線などに基づいて分類されることができ、該当情報が歯科に提供されることができる。
【０１０９】
一実施例で、サーバー１０は前記複数の歯科の中で前記提供される情報の種類による費用と前記追加費用の和である最終費用が最大である第１歯科を選択する段階を遂行することができる。
【０１１０】
一実施例で、サーバー１０は前記第１歯科についての情報を前記患者に提供する段階を遂行することができる。
【０１１１】
すなわち、サーバー１０は患者に情報を提供するために支払おうとする費用の和が最大である歯科を選択し、該当歯科についての情報を患者に提供することができる。
【０１１２】
一実施例で、サーバー１０は前記第１歯科に対して、前払型と後払型を含む費用支払オプションを要請する段階を遂行することができる。
【０１１３】
サーバー１０は前記第１歯科から前記費用支払オプションに対する選択情報を受信することができる。
【０１１４】
前払型費用支払オプションが選択された場合、サーバー１０は前記第１歯科から前払費用の支給可否を確認する段階、及び前払費用支給が確認される場合、前記第１歯科についての情報を前記患者に提供する段階を遂行することができる。
【０１１５】
すなわち、前払型において、総費用が決済される場合、患者に情報を提供し、これは預金に基づいて遂行されることもできる。すなわち、歯科で予め預金を決済しておく場合、サーバー１０は預金の範囲内で前払費用を直接処理することができる。
【０１１６】
後払型費用支払オプションが選択された場合、サーバー１０は前記第１歯科についての情報を前記患者に提供し、前記患者が前記第１歯科に訪問して診療を受けたかを確認する段階、及び前記第１歯科に後払費用の支給を要請する段階を遂行することができる。
【０１１７】
すなわち、後払型において、実際に診療が誘致される場合、後払で費用をサーバー１０に支給する方式である。この場合にも預金に基づいて決済が遂行されることができる。
【０１１８】
本実施例で、前記後払費用は前記前払費用より高く設定されることを特徴とすることができる。
【０１１９】
すなわち、後払費用において、実際に診療が誘致される場合にのみ費用を支払う代わりに、前払費用に比べて高い費用に設定されることができる。一実施例で、後払費用は実際診療収益の比率によってその追加費用が設定されることもできる。
【０１２０】
一実施例で、サーバー１０は前記第１歯科への排他的情報の提供の可否を問い合わせ、前記排他的情報提供の費用についての情報を一緒に提供することができる。
【０１２１】
すなわち、サーバー１０は第１歯科に対して他の歯科についての情報を排除した第１歯科の情報のみ患者に提供するかを問い合わせることができる。サーバー１０は排他的情報の提供に対する対価として費用を請求することができる。
【０１２２】
前記第１歯科から排他的情報提供選択情報を受信する場合、サーバー１０は前記患者に前記第１歯科についての情報のみを提供する段階を遂行することができる。
【０１２３】
すなわち、サーバー１０は、第１歯科が排他的情報提供を選択する場合、第１歯科についての情報のみ患者に提供することができる。
【０１２４】
実施例によって、この場合、サーバー１０は第１歯科に対して前払オプション及び後払オプションを選択するようにすることができる。
【０１２５】
前記第１歯科が排他的情報提供を選択しない場合、サーバー１０は前記複数の歯科のそれぞれについての情報を前記患者に提供することができる。
【０１２６】
また、サーバー１０は前記最終費用の高い順に前記複数の歯科のそれぞれについての情報を前記患者に提供することができる。
【０１２７】
すなわち、第１歯科が排他的情報提供を選択しない場合、サーバー１０は費用を支払う予定の複数の歯科情報を患者に提供し、支払う費用の順に情報提供の優先順位を設定することができる。
【０１２８】
この場合、サーバー１０は各歯科に対して前払オプションのみ要求することもでき、前払と後払オプションが共に可能になるようにすることもできる。
【０１２９】
実施例によって、前払及び後払オプションは複数の歯科の全てに対して統一的に適用されることができ、この場合、その選択は第１歯科が行うようにすることができる。ただ、後払オプションを選択する場合、後払オプションによる費用の規模は複数の歯科が支払うことができた前払オプションによる費用の和より大きいかそれと同じに設定されることができる。サーバー１０は後払オプションによる費用情報を複数の歯科に提供し、患者についての情報提供可否を再び問い合わせることができる。
【０１３０】
本実施例で、前記排他的情報提供の費用は、前記第１歯科を除いた前記複数の歯科のそれぞれの最終費用の和より大きく設定されることを特徴とすることができる。すなわち、第１歯科は他の複数の歯科が支払うことができた前払費用の全部を支払うか、それに加えて追加費用を支払うことにより、他の歯科情報の提供を防ぐとともに排他的情報の提供をサーバー１０に要請することができる。
【０１３１】
本発明の実施例に関連して説明した方法又はアルゴリズムの段階はハードウェアで直接具現されるか、ハードウェアによって実行されるソフトウェアモジュールで具現されるか、又はこれらの結合によって具現されることができる。ソフトウェアモジュールは、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）、フラッシュメモリー（Ｆｌａｓｈ  Ｍｅｍｏｒｙ）、ハードディスク、着脱型ディスク、ＣＤ−ＲＯＭ、又は本発明が属する技術分野でよく知られた任意の形態のコンピュータ可読の記録媒体に常住することもできる。
【０１３２】
本発明の構成要素は、ハードウェアであるコンピュータと結合されて実行されるために、プログラム（又はアプリケーション）で具現化されて媒体に保存されることができる。本発明の構成要素はソフトウェアプログラミング又はソフトウェア要素によって実行されることができ、これと同様に、実施例はデータ構造、プロセス、ルーチン又は他のプログラミング構成の組合せで具現化される多様なアルゴリズムを含み、Ｃ、Ｃ＋＋、ジャバ（Ｊａｖａ（登録商標））、アセンブラ（ａｓｓｅｍｂｌｅｒ）などのプログラミング又はスクリプト言語で具現化されることができる。機能的な側面は一つ以上のプロセッサで実行されるアルゴリズムで具現化されることができる。
【０１３３】
上記の説明は本発明の技術的思想を例示的に説明したものに過ぎず、本発明が属する技術分野で通常の知識を有する者であれば本発明の本質的な特性から逸脱しない範囲内で多様な修正及び変形が可能であろう。
【０１３４】
したがって、本発明に開示する実施例は本発明の技術的思想を限定するためのものではなく、説明するためのものであり、このような実施例によって本発明の技術的思想の範囲が限定されるものではない。本発明の保護範囲は下記の特許請求の範囲によって解釈されなければならず、それと同等な範囲内にある全ての技術的思想は本発明の権利範囲に含まれるものと解釈されなければならない。
【符号の説明】
【０１３５】
１０    サーバー
１００  スマート歯ブラシ
２００  ユーザー端末
３００  歯科端末
【図１】
2020075113.tif 000003
【図２】
2020075113.tif 000004
【図３】
2020075113.tif 000005
【図４】
2020075113.tif 000006
【図５】
2020075113.tif 000007
【図６】
2020075113.tif 000008